(57)【要約】【課題】遊技機の灰皿を不使用状態としても、遊技機の意匠性が低下するのを防止し、かつ、不使用状態の灰皿を遊技者が使用状態とすることを防止する。【解決手段】パチンコ遊技機１は、灰皿７と、灰皿７を間に挟んだ状態で灰皿７を使用位置から廃棄位置まで回転自在に支持する一対の支持部材５２，５３とを備える。一方の支持部材５２は、他方の支持部材５３との間に灰皿７を支持する支持位置から、灰皿７を取り外す着脱位置まで左右に移動自在とされている。そして、灰皿７を上下逆で前後はそのままの状態で支持部材５２，５３間に配置することで、灰皿７が使用されない不使用位置となる。一方の支持部材５２は遊技機本体前面を開放しないと移動できない。また、不使用位置の灰皿７は回転不可に支持部材５２，５３に支持される。【選択図】図３
2008131999.tif 000002
【特許請求の範囲】
【請求項１】
内部空間に連通した開口部を有する容器状の灰皿と、
遊技機本体前面に設けられ、前記灰皿を前側に臨む取付部と、
前記取付部の左右からそれぞれ前方に延出し、前記灰皿を間に挟んだ状態で前記灰皿を支持する一対の支持部材とを備え、
一対の前記支持部材は、前記灰皿を前記開口部を上に向けた使用位置と、前記開口部を略下に向けた廃棄位置との間で、前記遊技機本体前面に沿って水平な回転軸周りに回転自在に支持している遊技機において、
前記灰皿の前記取付部側に臨む背面には、前記使用位置から前記廃棄位置への回転開始に大きな外力を必要とするように前記取付部と着脱可能に係合する仮係合部が備えられ、
一対の前記支持部材の互いに対向する内側面と、前記灰皿の左右の外側面とには、それぞれ前記灰皿を前記遊技機本体前面に沿って水平な回転軸周りに回動自在とするように軸部と軸受部とが形成され、
一対の前記支持部材のうちの少なくとも一方は、前記軸部と前記軸受部との嵌合を解除して前記灰皿を前記支持部材から取り外し可能とするために左右に移動自在に前記取付部に取り付けられ、
前記支持部材から前記灰皿を取り外した後、前記灰皿の背面を前記取付部に向けて前記灰皿の上下を逆として裏返した状態で、前記軸部と前記軸受部とを嵌合させることにより、前記灰皿を一対の前記支持部材に支持させた場合にのみ、前記取付部および前記支持部材のうちの少なくとも一方と、前記灰皿との間で互い係合して前記灰皿の前記回転軸周りの回転を阻止する回転阻止手段を有することを特徴とする遊技機。
【請求項２】
一対の前記支持部材のうちの左右に移動自在な支持部材を、前記軸部と前記軸受部とを嵌合させることにより前記灰皿を軸支する軸支位置に固定的に保持する保持手段を備えるとともに、
前記取付部の背面側に、前記保持手段による保持を解除して、当該支持部材を前記軸支位置から移動可能とする操作を行うための操作部材が設けられていることを特徴とする請求項１に記載の遊技機。
【請求項３】
前記灰皿を裏返した際に上を向く、前記灰皿の下面にマークが設けられていることを特徴とする請求項１または２に記載の遊技機。
【発明の詳細な説明】
【技術分野】
【０００１】
本発明は、パチンコ店などの遊技場に設置して使用される遊技機に関するものである。
【背景技術】
【０００２】
一般に、パチンコ遊技機やパチスロ等の各種遊技機には、その前面の下部に灰皿が設けられている。この灰皿は、遊技機に対して簡単に取り外れないように取り付けられているため、灰皿に溜まった灰を廃棄できるように、遊技機前面に沿うとともに水平な軸周りに回転可能とされている。また、使用時に不用意に灰皿が回転してしまうのを防止するために、大きな外力を加えないと灰皿が回転開始しないように、灰皿に、遊技機側に着脱可能に係合する仮係合部が形成されている。
【０００３】
ここで、遊技機に取り付けられた灰皿を遊技機から簡単に取り外せないことから、清掃等を遊技機側で行う必要があり、簡単に水洗い等ができない。そこで、上述のような遊技機が設置された遊技店では、遊技機が設置される島設備にタバコの灰を自動的に廃棄可能な灰皿の設備を設けたり、島設備の遊技機が設置された台部分に、一般的な灰皿を置いて、灰皿ごとタバコの灰を台から除去可能としたりする場合がある。
また、遊技店において、少なくともその一部を禁煙とすることも行われている。
【０００４】
上述のような場合に、遊技機に設けられた灰皿を遊技者に使用されると困ることから、遊技店側で灰皿に板状の蓋を設置していた。
また、遊技機に設けられた灰皿を使用状態から回転して裏返した不使用状態で固定可能とすることで、灰皿に蓋をしなくても、灰皿を使用不能とすることが提案されている（例えば、特許文献１参照）。
【０００５】
【特許文献１】特開平１１−１９２３６３号公報
【発明の開示】
【発明が解決しようとする課題】
【０００６】
ところで、特許文献１に示されるように、灰皿を使用状態に安定させるために、遊技機本体側に係合するように灰皿に形成された係合部が、灰皿を不使用状態とした際に遊技者側に露出してしまい、灰皿を不使用状態とした場合に遊技機の見栄えが悪くなる原因となっていた。
すなわち、灰皿を回転して裏返す際に、使用状態では、遊技機側を向いている背面が回転により前方が向くことになり、普段遊技者に見えない灰皿の背面が遊技者に見えることで、デザイン的に好ましくない状態となる可能性がある。また、単に灰皿を不使用状態としたのでは、遊技機に使用されない無駄な部材がある状態となってしまう。
【０００７】
また、一般的なパチンコ遊技機においては、特許文献１の場合と異なり、灰皿の左右に配置され灰皿を支持する支持部材が、遊技機の遊技盤より下側の前面を構成するパネル部材と一体に形成されているので、左右の支持部材の間に灰皿を回転自在に保持する構造が以下のように限定される可能性が高い。
すなわち、支持部材の互いに対向する内側面に内側に突出する回転軸をそれぞれ設け、灰皿の左右の外側面にそれぞれ軸部が挿入される穴状の軸受部を形成する。このままの状態では、回転軸の先端間の間隔が、灰皿の左右幅より狭くなるので、灰皿の左右の外側面の穴状の軸受部に回転軸を挿入することが困難となる。そこで、灰皿を例えば容器状の灰皿本体と、その下部を覆う下部カバーとの２つの部材からなる構成とし、下部カバー側の左右側面の上縁部分に軸受部となる切欠部を、上側を開放した状態に設け、灰皿本体側に下部カバーの切欠部の上側に開放した部分を塞ぐ閉塞部を設けておく。
【０００８】
そして、灰皿を取り付ける際には、まず、下部カバーの左右側面のそれぞれの切欠部に、その上側の開放側から左右の前記回転軸を挿入させた状態とし、下部カバーの上から灰皿本体を下部カバー内に挿入する。この際に、回転軸が挿入された状態の切欠部の上側を灰皿本体の閉塞部で閉塞することで、支持部材側の回転軸が下部カバー側の切欠部と灰皿本体側の閉塞部とから形成された軸受部に挿入された状態となる。
【０００９】
このような構成では、灰皿はどうしても灰皿本体と、下部カバーの２部材からなる必要があり、遊技機本体に灰皿を取り付ける際に、これら灰皿本体と下部カバーとを接合する煩雑な作業が必要となる。
また、特許文献１に示される例では、左右の支持部材が遊技機本体に取り付けられる構造となっているので、灰皿を２部材からなる煩雑な構造とする必要はないが、支持部材が遊技機本体の上述のパネル部材と別体なので、灰皿を取り付ける際に、支持部材を取り付ける必要があり、やはり、煩雑な作業が必要となる。
【００１０】
また、不使用状態となっている灰皿を遊技者側、すなわち、遊技機の前面側から使用状態に変換できる場合に、遊技者が不使用状態の灰皿を使用状態にしてしまう可能性がある。
この場合に、不使用状態から使用状態にした遊技者や、他の遊技者が遊技店側では使用して欲しくない遊技機の灰皿にタバコの灰やゴミを捨てる可能性があり、遊技店側では、灰やゴミを捨てる手間が増えてしまう。
【００１１】
本発明は、上記事情に鑑みて為されたもので、灰皿を不使用状態としても、遊技機の意匠性が低下するのを防止しつつ、灰皿の構造を簡略にすることを可能とし、また、不使用状態の灰皿を遊技者が使用状態とすることを防止し、かつ、不使用状態の灰皿に機能を付加することができる遊技機を提供することを目的とする。
【課題を解決するための手段】
【００１２】
請求項1に記載の発明は、内部空間に連通した開口部を有する容器状の灰皿と、
遊技機本体前面に設けられ、前記灰皿を前側に臨む取付部と、
前記取付部の左右からそれぞれ前方に延出し、前記灰皿を間に挟んだ状態で前記灰皿を支持する一対の支持部材とを備え、
一対の前記支持部材は、前記灰皿を前記開口部を上に向けた使用位置と、前記開口部を略下に向けた廃棄位置との間で、前記遊技機本体前面に沿って水平な回転軸周りに回転自在に支持している遊技機において、
前記灰皿の前記取付部側に臨む背面には、前記使用位置から前記廃棄位置への回転開始に大きな外力を必要とするように前記取付部と着脱可能に係合する仮係合部が備えられ、
一対の前記支持部材の互いに対向する内側面と、前記灰皿の左右の外側面とには、それぞれ前記灰皿を前記遊技機本体前面に沿って水平な回転軸周りに回動自在とするように軸部と軸受部とが形成され、
一対の前記支持部材のうちの少なくとも一方は、前記軸部と前記軸受部との嵌合を解除して前記灰皿を前記支持部材から取り外し可能とするために左右に移動自在に前記取付部に取り付けられ、
前記支持部材から前記灰皿を取り外した後、前記灰皿の背面を前記取付部に向けて前記灰皿の上下を逆として裏返した状態で、前記軸部と前記軸受部とを嵌合させることにより、前記灰皿を一対の前記支持部材に支持させた場合にのみ、前記取付部および前記支持部材のうちの少なくとも一方と、前記灰皿との間で互い係合して前記灰皿の前記回転軸周りの回転を阻止する回転阻止手段を有することを特徴とする。
【００１３】
請求項１記載の発明によれば、一対の支持部材のうちの一方を左右に移動させることで、灰皿を簡単に着脱することが可能となり、灰皿を使用する場合は、灰皿を上に向けた状態で支持部材間に支持させ、灰皿を使用しない場合は、灰皿を下に向けた状態で支持部材間に支持させる。そして、不使用状態では、使用状態と同様に灰皿の背面を遊技機本体の取付部に向けた状態、すなわち、遊技者の反対に向けた状態なので、灰皿の背面に設けられ、灰皿が使用位置から廃棄位置に回転するのを防止するために取付部に係合する仮係合部が遊技者側を向いて遊技者に視認されることがない。
【００１４】
これにより遊技機の灰皿を不使用状態とした際の意匠性を向上することができる。また、支持部材の一方を左右に移動することで灰皿を着脱できることから、灰皿を２部材からなるものとする必要がなく、灰皿の構成を簡略化し、コストの低減を図ることができる。
また、灰皿の着脱を容易としても、灰皿の着脱時に支持部材を遊技機本体に対して着脱する必要はなく、遊技機の組立時に灰皿の取り付けを容易なものとすることができる。
また、灰皿を裏返して取り付けた際には、灰皿が回転不可となるので、遊技者が不使用状態の灰皿を開口部を上に向けた使用可能な状態に変換するのを防止することができる。
【００１５】
請求項２に記載の発明は、請求項１に記載の遊技機において、
一対の前記支持部材のうちの左右に移動自在な支持部材を、前記軸部と前記軸受部とを嵌合させることにより前記灰皿を軸支する軸支位置に固定的に保持する保持手段を備えるとともに、
前記取付部の背面側に、前記保持手段による保持を解除して、当該支持部材を前記軸支位置から移動可能とする操作を行うための操作部材が設けられていることを特徴とする。
【００１６】
請求項２記載の発明によれば、保持手段により左右に移動自在な支持部材を灰皿を軸支する位置に固定的に保持しているので、この状態では、支持部材を移動させて、使用状態もしくは不使用状態の灰皿を支持部材から取り外すことができない。
そして、保持手段による支持部材の保持を解除する操作を行うための操作部材が遊技機本体前面に設けられた取付部の背面側に設けられているので、例えば、遊技機のガラス枠より下の部分の前面部分を開放しないと、支持部材の保持を解除するとともに移動可能となった支持部材を移動させて灰皿を取り外すことができないので、遊技者が不使用状態の灰皿を使用状態として使ってしまうようなことを確実に防止することができる。なお、通常、遊技機の前面を構成する部材は、遊技機に設けられた錠を鍵で開放しないかぎり開放した状態にできないようになっており、遊技者が取付部の背面側にアクセスすることは極めて困難である。
【００１７】
請求項３に記載の発明は、請求項１または２に記載の遊技機において、
前記灰皿を裏返した際に上を向く、前記灰皿の下面にマークが設けられていることを特徴とする。
【００１８】
請求項３記載の発明によれば、不使用状態の際に上を向いて遊技者に視認可能となる灰皿の下面にマーク（印）が記載されているので、不使用時の灰皿の意匠性を高めることができるとともに、例えば、遊技機名、使用されるキャラクタ、メーカー、販売会社等に対応する（ロゴ）マークを表示するようにすれば、遊技中の遊技者の比較的視認し易い位置にロゴマーク等のマークを表示することが可能となる。これにより、遊技機前面の限られた面積の中で、目立つようにロゴマーク等のマークを表示する機能を不使用状態の灰皿に付加することができる。
【発明の効果】
【００１９】
本発明の遊技機のよれば、不使用状態の灰皿の意匠性を向上することができ、かつ、灰皿の構造の簡略下、遊技機組立時の灰皿取付作業の効率化によりコストダウンを図ることができる。
【発明を実施するための最良の形態】
【００２０】
以下、図面を参照して、遊技機設置営業店等の場所に設置され、遊技媒体（例えば、遊技球やメダル等）の供給に基づいて遊技者に遊技を行わせる遊技機（例えば、弾球遊技機としてのパチンコ遊技機）の構成及び動作について説明する。
【００２１】
図１に示すパチンコ遊技機１は、全体としては各種パチンコ機としての一般的な基本構成を有するもので、図示しないが矩形枠状で島設備に取り付けられる機枠と、機枠に扉状に開閉自在に取り付けられ、遊技盤が収容される収容部を備えた前面枠と、前面枠の前側に扉状に開閉自在に取り付けられたガラス枠２と、前面枠の下部に着脱自在に取り付けれ、ガラス枠２の下側の前面を構成する下部前面パネル３とを備えている。
【００２２】
ガラス枠２には、遊技盤の遊技球が流下する遊技領域を視認可能とするように開閉自在に透明板（二重ガラス）４が嵌め込まれている。また、前面枠のガラス枠２より下側の下部前面パネル３には、その中央の上部に遊技球を貯留するとともに前記遊技領域に遊技球を発射する発射装置に遊技球を供給する受皿５が備えられ、向かって右端側に回転式操作ハンドル６が備えられ、向かって左端側に灰皿７が備えられている。
また、受皿５上部の遊技者側となる前部には、貸球の払い出等の操作を行うための操作部８が設けられている。
【００２３】
前記受皿５より左側の灰皿７が設けられる部分は、下部前面パネル３に対して上部が下側に倒れるように回動して開放可能なサイドパネル９が設けられている。
サイドパネル９には、灰皿７とともに遊技の演出で用いられ、遊技者が操作する演出ボタン１０や、受皿５内の遊技球を排出させるための排出スイッチ１１等が設けられている。
【００２４】
なお、この例においては、前面枠に着脱自在な下部前面パネル３に対してサイドパネル９が下部の水平な軸周りに回転して開閉する構造となっているが、例えば、下部前面パネル３全体もしくはサイドパネル９部分を含む一部が例えば垂直な軸周りに回転して開閉自在となっていてもよい。すなわち、パチンコ遊技機１の下部の前面を構成し、前記灰皿７を有する部分が開放可能で、灰皿７の取付部の裏面側を露出可能な構成となっていればよい。また、パチンコ遊技機１の前面を構成する部材（たとえば、この例ではサイドパネル９）を開放する構成において、周知のように開放に際しては鍵により施錠を解除する必要がある構成となっていることが好ましい。
【００２５】
次に、本発明に係る灰皿７とそれを支持するサイドパネル９とについて説明する。
図２および図６に示すように、パチンコ遊技機１は、内部空間２１に連通した開口部２２を有する容器状の灰皿７と、パチンコ遊技機１本体前面に設けられ、灰皿７を前側に臨む取付部５１と、この取付部５１の左右からそれぞれ前方に延出し、灰皿７を間に挟んだ状態で灰皿７を支持する一対の支持部材５２，５３とを備える。
そして、一対の支持部材５２，５３は、灰皿７を開口部２２を上に向けた使用位置と、開口部２２を略下に向けた廃棄位置との間で、パチンコ遊技機１本体前面に沿って水平な回転軸回りに回転自在に支持している。
【００２６】
なお、パチンコ遊技機１本体前面の灰皿７が取り付けられる部分が前記サイドパネル９となり、サイドパネル９のほぼ前面を向いて平坦な部分に取付部５１が形成されている。また、取付部５１の上部には、上述の演出１０ボタンが取り付けられるボタン孔１３が形成された演出操作部１４とされている。
また、サイドパネル９は、パチンコ遊技機１の左端に設けられているので、取付部５１の左側は、パチンコ遊技機１前部の側面１５となる。取付部５１の右側は、受皿５の左側を覆う受皿左カバー１６となっており、この受皿左カバー１６に前記排出スイッチ１１が配置されている。
また、図２および図６に示すように開口部２２を上に向けた位置が使用位置となり、この使用位置から灰皿７の前部を下方に移動するように１８０度前後回転することで、灰皿７内の灰を廃棄する廃棄位置となる。この場合に、使用位置に対して灰皿７は、上下と前後との両方が逆の配置となる。なお、廃棄位置においては、灰皿７内の灰等が下側に落下すればよいので、使用位置から灰皿が完全に１８０度回転する必要はなく、９０度よりも大きな角度で回転すればよい。
【００２７】
前記灰皿７は、図１０（ｃ）に示すように、内部空間２１に連通する開口部２２を有する灰皿本体２３と、灰皿本体２３の上下方向の略下側半分の下部表面を包むように灰皿本体２３の下部を覆う器状の下部カバー２４とからなる。なお、図１０（ｃ）に示される灰皿は、上下を逆にした後述の不使用状態の灰皿を示している。
灰皿本体２３の下部カバー２４に覆われる部分は、外部に露出する灰皿本体２３の略上側半分の上部よりも外周長さが下部カバー２４の肉厚に対応する分だけ短く形成され、上部と前記肉厚分だけ落とし込まれた下部との境目に段差が形成され、この段差部分で灰皿本体２３と下部カバー２４が接合されている。この接合部において、灰皿本体２３の外周面と、下部カバー２４の外周面との間に段差が無い面一の形状とされ、外観上灰皿本体２３と下部カバー２４との接合部が視認しづらい形状とされ、ほぼ一体に見えるようになっている。
【００２８】
図８に示すように、下部カバー２４の左右の側壁部の上端部には、それぞれ、支持部材５２，５３に設けられた軸部５４，５４が挿入されて当該軸部５４，５４に対して灰皿７を回転自在とする軸受部２５，２５が形成されている。この軸受部２５，２５は、上部がＵ字状に開放された切り欠き状のものとなっており、下部カバー２４を灰皿本体２３に接合した際に、灰皿本体２３の左右側部の下部カバー２４の軸受部２５に対応して形成された閉塞部２６により、軸受部２５の開放部分が閉塞されて孔状の構造となる。なお、軸受部２５は、灰皿７の前後の中央より前側となっている。また、軸受部２５は、下部カバー２４において、表裏に貫通する切欠部であるが、下部カバー２４を灰皿本体２３にセットした際に、灰皿本体２３の下部表面が軸受部２５の底部となり、軸受部２５は有底の穴となる。
なお、左右の軸部５４，５４が同軸上に配置され、左右の軸受部２５，２５も同軸上に配置されている。
【００２９】
これにより、左右の支持部材５２，５３の互いに対向する内側面から内側に向かって突出する左右の軸部５４，５４を下部カバー２４の軸受部２５にその開放部分から挿入した状態で下部カバー２４と灰皿本体２３とを接合することで、灰皿７を左右の支持部材５２，５３の間に軸支した状態とできる。
【００３０】
なお、本発明においては、後述のように左の支持部材５２が左右に移動自在となることにより、灰皿７を容易に着脱可能となっているので、灰皿７を上述のように灰皿本体２３と下部カバー２４とからなるものとし、灰皿本体２３と下部カバー２４とを接合した際に軸受部２５は、軸部５４，５４が着脱可能な切り欠き状から軸部５４，５４を着脱できない孔状となるような構造とする必要はない。
【００３１】
なお、支持部材５２，５３の両方とも左右に移動しない構成では、灰皿７の軸部５４，５４への着脱の際に、灰皿本体２３と下部カバー２４とを着脱する必要があるが、この例では、灰皿本体２３と下部カバー２４とを着脱する必要がない。すなわち、従来は、灰皿７が破損した場合などに、パチンコ遊技機１本体から取り外せ、かつ、遊技者が容易に灰皿７を取り外してしまうことがないように、例えば、灰皿本体２３と下部カバー２４とを、下部カバー２４底面から灰皿本体２３の底面に至るビスで固定していたが、この例では、灰皿本体２３と下部カバー２４とを接着剤で取外し不可となるように一体に接合している。従って、この例では、灰皿本体２３と下部カバー２４とが上下に接合される構造となっていても、灰皿７（下部カバー２４）の下面にビスが無い構造となっている。
【００３２】
なお、上述のようにこの例の灰皿は、灰皿本体２３と下部カバー２４との２部材からなる構造とする必要がないので、灰皿を一体成型するものとしてもよい。この際に、軸受部２５となる孔が成型時に型枠から成型品を出す際に邪魔となるが、型枠の一部がスライドするものを用いることで、一体成型可能である。
なお、軸受部２５となる穴を灰皿７の成型後に切削加工等の後加工により形成するものとしてもよい。
また、上述のようにこの例では、灰皿７側に、灰皿７を支持部材５２、５３の軸部５４，５４から取り外すための構造を設ける必要がないことから、灰皿７の左右の外側面に軸部を設け、支持部材５２，５３の内側面に前記軸部が挿入される孔状の軸受部を設ける構成としてもよい。
【００３３】
従って、一対の支持部材５２，５３の互いに対向する内側面と、灰皿７の左右の外側面とには、それぞれ灰皿７をパチンコ遊技機１本体前面に沿って水平な回転軸周りに回動自在とするように軸部５４と軸受部２５とが形成されていることになる。
【００３４】
そして、灰皿７の上端部には、灰皿７の左右側面よりそれぞれ庇状（鍔状）に突出する鍔部２７，２７が形成されている。なお、鍔部２７，２７は、灰皿７の上端部の左右にだけ突出し、前後には突出していない。
この鍔部２７，２７は、図２、図６に示すように、開口部２２を上に向けて使用位置となっている灰皿７において、鍔部２７，２７を除く灰皿７と、その左右に配置される支持部材５２，５３とが隣接している部分の上に配置され、タバコの灰が灰皿７と支持部材５２，５３との間に入り込むの防止するものである。さらに、この例では、後述のように灰皿７を、その開口部２２を下にして不使用位置とした際に、支持部材５２，５３の下面に当接して、裏返した状態の灰皿７の前側が下に下がる方向の回転を規制するようになっている。
【００３５】
なお、この例では、灰皿７が使用位置から廃棄位置に回転するのを鍔部２７，２７により規制されないように、支持部材５２，５３の先端部の上面、先端面、下面に至る部分が円弧状に形成され、鍔部２７，２７がこの円弧状の先端部に略沿って回転可能となるようになっている。すなわち、支持部材５２，５３の上面と先端面との角部および先端面と下面との角部は、円弧面となるようにＲを付けた状態となっている。
すなわち、支持部材５２，５３の先端側での灰皿７の１８０度の回転は許容されるが、この１８０度の回転範囲の範囲外となる回転は、支持部材５２，５３上面もしくは下面に灰皿７の鍔部２７，２７が当接することで規制される。
【００３６】
灰皿７の取付部５１側に臨む背面には、使用位置から廃棄位置への回転開始に大きな外力を必要とするように取付部５１（の係合片５５）と着脱可能に係合する仮係合部２８が備えられている。
灰皿７を使用位置とした状態では、灰皿７の仮係合部２８が取付部５１に設けられた後述の係合片５５の上端部に設けられた爪５６に係合し、灰皿７を使用位置に保持した状態となるが、灰皿７に使用位置から廃棄位置に回転する方向に指等で力をかけると、係合片５５が弾性変形し、灰皿７の仮係合部２８が爪５６から離れることで、廃棄位置まで回転可能となる。
【００３７】
灰皿７の上面（開口部２２側）と背面との角部には、図８および図１０（Ｃ）に示すように左右のほぼ中央に、切欠部２９が形成されている。この切欠部２９は、灰皿７を非使用位置とした場合に、後述のように取付部５１の係合片５５の基端部から前側に突出して形成された規制部５７に嵌合して、灰皿７の後端部が下側に向かう回転を阻止するようになっている。
なお、灰皿７の背面と下面との間にも裏切欠部３０が設けられ、使用位置となった灰皿７と取付部５１の灰皿７側に突出する規制部５７とが干渉しないようになっている。
【００３８】
灰皿７の下面には、灰皿７を上下逆にした際（例えば、非使用位置とした場合）に、上方を向く下面には、マーク３２が設けられるようになっている。ここでのマーク３２とは、例えば、パチンコ機の名称に対応したもの、パチンコ機のメーカー名に対応したもの、パチンコ機で使用されているキャラクタに対応したものである。また、前記マーク３２にロゴタイプを組合わせたロゴマークを灰皿７の下面に設けるものとしてもよい。
【００３９】
すなわち、背面７には、絵や文字をデザインしたマーク３２を設けられており、この例においては、文字をデザインしたロゴマークが浮き彫り状に灰皿７下面に形成されている。
【００４０】
前記サイドパネル９の取付部５１は、図１１等に示すように、その右側の受皿左カバー１６部分および上側の部分とは別体に形成されている。そして、取付部５１には、向かって右の支持部材５３と、向かって左の支持部材５２が左右に移動自在に取り付けられる概略矩形状で下側が開放した取付切欠部５８とが設けられている。
【００４１】
そして、取付部５１の右の支持部材５３と左の取付切欠部５８との間は、灰皿７の背面と対向する部分であり、その中央部に前記係合片５５が形成されている。係合片５５は、その下部を除く左右側部および上部が周囲の取付部５１を構成する部分と切り離された形状とされている。これにより、係合片５５は、その下端部（基端部）だけが取付部５１を構成する樹脂板に固定された状態となり、先端部がフリーな状態となり、基端部に対して先端部側が大きく弾性変形可能な構成となっている。
【００４２】
そして、係合片５５の先端部に上述の爪５６が形成され、係合片５５の先端から僅かに前側に突出する爪５６の下に使用位置の灰皿７の背面の後方に突出する仮係合部２８が配置されることになる。そして、爪５６と仮係合部２８が上下に配置されるとともに互いに当接した状態となり、灰皿７を使用位置に保持し、灰皿７に上述の方向に大きな外力を加えた場合に、爪５６を有する係合片５５が弾性変形して、仮係合部２８との係合が解除されて、灰皿７を使用位置から廃棄位置に回転可能とすることができる。
【００４３】
また、灰皿７を廃棄位置から使用位置に戻す際に係合片５５の爪５６の上面に灰皿７の仮係合部２８が接触するとともに、爪５６の上面が先に向かうにつれて前方に向かうように斜めに形成されているので、爪５６の上面に仮係合部２８を押し付けるように灰皿７を回転する方向に灰皿７に外力を加えることで、係合片５５の弾性変形により爪５６が後方側に移動し、爪５６の下に仮係合部２８が配置された状態となり、爪５６に仮係合部２８が係合して、灰皿７が使用位置に保持される。
【００４４】
この際に、灰皿７の鍔部２７，２７の下面が支持部材５２，５３の上面に当接した状態となることで、灰皿７の後側への回転（逆転）が阻止され、爪５６により灰皿７の前側、すなわち、廃棄位置に向かう回転（正転）が阻止されてることで、灰皿７は使用位置に保持された状態となる。この際に、係合片５５の上部の爪５６と下部の規制部５７との間に灰皿７の背面の仮係合部２８から裏切欠部３０までの部分が挟まれて状態となり、灰皿７が安定した状態となる。
【００４５】
また、灰皿７を前後を使用位置と同じ状態とし、上下だけを使用位置と逆にした不使用位置とした際には、図１０（ｃ）に示すように、灰皿７背面の仮係合部２８が爪５６の下側に接触して配置された状態となり、係合片５５の上部の爪５６と下部の規制部５７との間に灰皿７の背面の仮係合部２８から切欠部２９までの部分が挟まれて状態となり、灰皿７が安定した状態となる。
【００４６】
なお、不使用位置においては、さらに、鍔部２７，２７が支持部材５２，５３の下面に当接することで、灰皿７の背面側が上に向かう回転が阻止されており、爪５６と仮係合部２８との係合が外れることがない。すなわち、鍔部２７，２７と支持部材５２，５３との係合と、後述の規制部５７と切欠部２９との係合とにより、灰皿７の回転が完全に阻止された状態となっている。
【００４７】
また、取付部５１には、後述のように左側の支持部材５２を左右移動自在に支持するベース部材７０をビスで固定するための円筒状の複数のボス５９ａ〜ｄが形成され、そのうちの２つボス５９ｃ，５９ｄは、互いに同じ高さ位置に並んで配置され、後述のように支持部材５２を左右移動自在に支持するガイド部材を兼ねた構成となっている。なお、ガイド部材を兼ねた２つのボス５９ｃ，５９ｄのうちの一方のボス５９ｃは、実際にはビスがねじ込まれることがないダミーとなっており、ボスとしての機能は持たず、支持部材５２を左右の移動を案内する機能（取付部５１とベース部材７０とのスペーサとしても機能する）を有することになる。また、残りの２つのボス５９ａ，５９ｂは、ビスがねじ込まれる通常のボスとして機能する。
【００４８】
右側の固定された支持部材５３は、前方に突出する概略長方形状に形成され、先端部が円弧板状に形成されている。また、支持部材５３の受皿５側は、受皿左カバー１６と接合される部分が開放された状態となっている。そして、支持部材５３の支持部材５２と対向する内側面に前記軸部５４が設けられている。
【００４９】
左側の左右に移動自在な支持部材５２は、図１１に示すように、前記取付部５１の取付切欠部５８から前方に突出する支持部材本体６１と、支持部材本体６１の基端部側に設けられ、取付部９の裏面側に配置される基部６２とを備えている。
支持部材本体６１は、その内側面および上面、先端面、下面の形状（左右幅を除く形状）が、固定の支持部材５３と同様の形状（ただし、左右が逆となる鏡像関係で同形状）となっており、内側面に軸部５４が形成されている。
【００５０】
そして、支持部材本体６１は、固定の支持部材５３に対向し、軸部５４を有する内側面と、上面、先端面、下面からなる外周面とを有するが、固定の支持部材５３の反対側となる外側面は、開放した状態となっており、後述のベース部材７０の延出部７２により閉塞されるようになっている。
【００５１】
基部６２は、支持部材本体６１の上側となる部分に形成された被ガイド部６３と、正面から向かって右側に形成された板部６４と、当該板部６４に形成され、後述のベース部材７０に係止されて支持部材５２を灰皿７を支持する最も右側のに保持するための被係止部６５と、支持部材５２を左右に移動させる操作を行うために指を掛けるための操作片６６とを備える。
【００５２】
被ガイド部６３は、前記ガイド部材として機能する２本のボス５９ｃ，５９ｄが同時に挿入される左右に長い長孔６３ａが形成されるとともに、前面が取付部５１の裏面に沿った形状とされ、裏面が後述のベース部材７０のベース板７１の前面に沿った形状とされている。これにより、被ガイド部６３は、左右に長い長孔６３ａに挿入されたボス５９ｃ，５９ｄにより、上下への移動を規制されて左右のみに移動自在とされる。また、後述のように被ガイド部６３が取付部５１とベース板７１とにより前後から挟まれた状態となることで、前後移動も規制される。
【００５３】
以上のことから、上下移動と前後移動が規制され、左右移動だけが許可された状態の被ガイド部６３により、支持部材本体６１は、左右のみに移動自在とされるとともに、上下左右へ傾くことが規制された状態となっている。なお、支持部材本体６１の傾きは、後述のベース部材７０の延出部７２によっても規制される。
【００５４】
板部６４は、支持部材本体６１の向かって右側に形成さるとともに、取付部５１の裏面に沿って左右に移動自在に当接する形状とされている。そして、前記被係止部６５が裏面側に設けられている。
被係止部６５は、概略矩形枠状で、後端側がベース板７１の前面に左右移動自在に当接するようになっている。そして、概略矩形枠状の被係止部６５の向かって右側の辺を構成する右枠６５ａに、ベース板７１に形成された後述の係止部材７４が係止されることで、支持部材５２の灰皿７を支持する支持位置から左側への移動、すなわち、右の支持部材５３から離れる方向で、右の支持部材５３から離れることにより灰皿７が取外し可能となる着脱位置への移動の開始が規制されるようになっている。
【００５５】
操作片６６は、被ガイド部６３の向かって右側から上方に突出するように形成されるとともに、取付部５１から離れるように後方側に突出して形成され、指を掛け易い状態とされている。
そして、サイドパネル９を開放し、支持部材５２の被係止部６５に対するベース部材７０の係止部材７４の係止を解除した状態で、操作片６６を裏面側から見て左から右に動かすことで、一方の支持部材５２を他方の支持部材５３から平行の状態を保持しながら離れる方向に移動可能となっている。これにより支持部材５２を支持部材５３との間に灰皿７を支持する支持位置から、灰皿７を取り外す着脱位置まで移動し、また、逆に着脱位置から支持位置まで移動することができる。
【００５６】
ベース部材７０は、取付部５１の裏面との間に支持部材５２の基部６２を挟んだ状態で取付部５１の裏面にボス５９ａ，５９ｂ，５９ｄを介して固定されるベース板７１と、ベース板７１から取付切欠部５８を通って前方に延出する延出部７２とを備える。
ベース板７１は、概略矩形状の板体で、その中央部に支持部材５２の基部６２の被係止部６５に着脱自在に係止する係止部材７４が設けられている。
【００５７】
ベース部材７０のベース板７１は、上述の３つのボス５９ａ，５９ｂ，５９ｄを介して、取付部５１裏面との間に支持部材５２の基部６２を左右に移動自在に挟み込んだ状態で、図１３に示すようにビス止めされる。なお、ダミーのボス５９ｃも含めたボス５９ａ〜ｄは、取付部５１と基部６２との間隔を保持するスペーサとして機能する。
【００５８】
係止部材７４は、その背面側から見て右端部をベース板７１の本体に接続された状態で、係止部材７４の上辺、下辺、左辺に溝が形成され、ベース板７１本体から切り離され、係止部材７４の後から見て左端が大きく前後に弾性変形可能となっている。
そして、係止部材７４の後から見て左端の裏面側には、指を掛けて係止部材７４の左端を後方に移動させるための解除操作部７５が形成されている。
【００５９】
また、係止部材７４の後から見て左端の前面側には、係止爪７６が形成され、係止部材７４が弾性変形していない状態で、かつ、一方の左右に移動自在な支持部材５２が最も他方の固定の支持部材５３に近づいた支持位置にある状態の場合に、係止爪７６が支持部材５３の基部６２の被係止部６５の右枠６５ａに係止した状態となる。
そして、例えば、遊技店の係員がサイドパネル９を開放した状態で、解除操作部７５を後方側に引っ張ることで、被係止部６５の右枠６５ａに対する係止部材７４の係止爪７６の係止を解除し、上述のように支持部材５２の左右への移動を許容する状態とすることができる。
【００６０】
ベース部材７０の延出部７２は、図２および図９に示すように、その上面、先端面、下面が支持部材５２の上面、先端面、下面を構成する部材の内周に沿った形状を有し、かつ、垂直な左右側面を構成する部材が設けられた形状となっている。また、延出部７２は、図９に示すように、支持部材５２の左右幅の半分程度の左右幅を持ったものとなっている。そして、延出部７２は、図２に示すように、ベース板７１を取付部５１裏面に取り付けた状態で、かつ、支持部材５２が前記支持位置にある場合には、支持部材５２の開放された側部に延出部７２の側面が配置され、支持部材５２の開放した左側部を閉塞した状態となっている。これにより、支持位置にある場合に支持部材５２の左側部が開放した状態に見えず、支持部材５２の美観を保持することができる。なお、支持部材５２の開放した側部を閉塞した状態の構成としてもよいが、この場合に開放した側部を閉塞する壁部材は、ベース板７１と切り離された構成とし、ベース板７１と前記壁部材との間にこれらと相対的に移動自在に取付部５１が配置される必要がある。
【００６１】
また、支持部材５２を支持位置から着脱位置に移動すると、図３に示すように、延出部７２に対して、支持部材５２が左側に移動することで、支持部材５２の開放した左側部より延出部７２が右側となる。この際には、延出部７２が支持部材５２の移動を内側から案内した状態となり、支持部材５２の左右への平行移動を円滑に行える。
【００６２】
そして、以上のようなパチンコ遊技機１の組立時における灰皿７の組み付け作業は、図１１に示すように、サイドパネル９の取付部５１において、取付切欠部５８に支持部材５２の支持部材本体６１を挿入する。この際に、取付部５１の裏面側に配置される支持部材５２の基部６２に設けられた被ガイド部６３の長孔６３ａにガイド部材として機能する２つのボス５９ｃ、５９ｄを挿入した状態とする。これにより、取付部５１に対する支持部材５２の位置が決められるとともに、支持部材５２が取付部５１に左右に移動自在に支持された状態となる。
【００６３】
次に、図１２に示すように、取付部５１に取り付けられた状態の支持部材５２の後側からベース部材７０をベース部材７０のベース板７１の前面と、取付部５１の背面との間に支持部材５２の基部６２を挟んだ状態に配置し、図１３に示すようにボス５９ａ〜ｄを介してベース板７１を取付部５１にビス止めする。
次に、図９、図１３に示す解除操作部７５に指を掛けて後方に移動させることにより、被係止部６５の右枠６５ａから係止爪７６を外し、被係止部６５への係止部材７４の係止を解除する。この状態で、支持部材５２の操作片６６をサイドパネル９の裏からみて右側に移動することで、支持部材５２を図２および図６に示す支持位置から図３、図４、図７に示す着脱位置に移動する。なお、前記各図においては、灰皿７が図示されているがこの段階では、灰皿７は未だ取り付けられていない状態である。
【００６４】
そして、図３に示すように、灰皿７を着脱位置にある一方の支持部材５２と他方の固定の支持部材５３との間に開口部２２を上にした使用位置で配置するとともに、これら支持部材５２，５３の軸部５４，５４の位置と灰皿７の軸受部２５，２５との位置を合わせ、例えば、一方の軸受部２５に一方の軸部５４を挿入した状態とする。
次に、前記操作片６６を裏からみて右から左に移動することで支持部材５２を着脱位置から支持位置に移動するとともに、灰皿７の軸受部２５，２５に支持部材５２，５３の軸部５４，５４を挿入する。これにより灰皿７が使用位置に固定された状態となる。ここで、灰皿７を使用位置に対して上下位置を逆にし、前後位置は同じにした図４および図７に示す不使用位置とした後に、上述と同様に支持部材５２を着脱位置から支持位置に移動することで図５および図１０に示すように不使用位置に固定することができる。
また、灰皿７が図２におよび図６に示す使用位置もしくは図５や図１０に示す不使用位置にある場合に、上述のようにサイドパネル９を開放した状態で、図３、図４、図７に示すように支持部材５２を支持位置から着脱位置に移動して一旦灰皿７を取り外すとともに、前後を逆にすることなく上下だけを逆になるように灰皿を回転して、上述のように灰皿７を取り付けることで、灰皿７を使用位置から不使用位置もしくは不使用位置から使用位置に変換することができる。
【００６５】
また、灰皿７が使用位置となった場合には、灰皿７の左右の鍔部２７，２７の下面がそれぞれ左右の支持部材５２，５３の上面に当接することと、灰皿７の下面後部に形成された裏切欠部３０の段差面に取付部５１の規制部５７とが当接することとにより、軸部５４，５４を回転中心として灰皿７の前部が上がる方向への灰皿７の回転が阻止される。
また、灰皿７背面の仮係合部２８が取付部５１に形成された係合片５５の爪５６に係合することで、軸部５４，５４を回転中心として灰皿７の前部が下がる方向の回転が規制されるが、所定以上の外力で灰皿７を前記方向に回転させることで、係合片５５が弾性変形して、爪５６と仮係合部２８との係合が解除され、灰皿７を使用位置に対して、上下が逆で前後が逆となる廃棄位置に回転させることができる。
【００６６】
灰皿７が不使用位置となった場合には、図１０に示すように、灰皿７の左右の鍔部２７，２７の下面（灰皿７が上下逆さなので上を向いている）がそれぞれ左右の支持部材５２，５３の下面に当接することで、軸部５４，５４を回転中心として上下逆さとなった灰皿７の前部が下がる方向への移動が規制される。
また、灰皿７の上面後部に形成された切欠部２９の段差面に取付部５１の規制部５７とが当接することとにより、軸部５４，５４を回転中心として灰皿７の前部が上がる方向への灰皿７の回転が阻止される。
【００６７】
以上のことから、灰皿７は不使用位置から回転不可となり、不使用位置に維持される。そして、サイドパネル９を閉じた状態で、サイドパネル９の背面側の解除操作部７５および操作片６６が操作できないと（特に解除操作部７５が操作できないと）、支持部材５２を着脱位置に移動できず、灰皿７を回転することはできない。
したがって、遊技店の係員が鍵を用いてロックを解除することで、サイドパネル９を開放しないと、サイドパネル９の裏面側に配置された上述の係止部材７４の解除操作部７５および支持部材５２の操作片６６を操作して灰皿７を使用位置と非使用位置との間で切り替えることができないので、遊技者のいたずらで、使用位置の灰皿７を非使用位置にされたり、非使用位置の灰皿７を使用位置にされたりすることを防止することができる。
【００６８】
また、支持部材５２を移動することで灰皿７の着脱が可能になるので、従来のように灰皿７の着脱の際に、灰皿７を二分割可能とし、かつ、遊技者等によって容易に灰皿７を取り外せないように、灰皿本体２３と下部カバー２４とをビス止めする必要がなく、例えば、灰皿７を不使用位置とした際にビスが露出するようなことがない。
【００６９】
また、灰皿７を不使用位置とする際に、上下を逆にするが、廃棄位置のように前後を逆にすることがないので、灰皿７の背面に、仮係合部２８や切欠部２９や裏切欠部３０があっても、これらが前面側に露出することがなく、不使用位置の灰皿７の外観が損なわれることがない。
以上のことから、不使用位置の灰皿７がパチンコ遊技機１の美観を損ねることがない。
【００７０】
さらに、灰皿７の裏面にロゴマーク等のマーク３２を表示することで、不使用位置の灰皿７にマーク３２を表示する機能を付与し、不使用位置の灰皿７がパチンコ遊技機１で無駄な空間となるのを防止できる。さらに、パチンコ遊技機１の美観を向上することができる。
この実施形態では、パチンコ遊技機１を例としてあげたが、本発明は、灰皿を有する全ての遊技機に適用可能であり、パチンコ遊技機１を含む各種弾球遊技機や、パチスロを含むスロットマシンといった回胴式遊技機にも適用可能である。
【００７１】
以上、本発明者によってなされた発明を適用した実施の形態について説明したが、この実施の形態による本発明の開示の一部をなす論述及び図面により本発明は限定されることはない。すなわち、この実施の形態に基づいて当業者等によりなされる他の実施の形態、実施例及び運用技術等は全て本発明の範疇に含まれることは勿論であることを付け加えておく。
【図面の簡単な説明】
【００７２】
【図１】本発明の実施の形態に係るパチンコ遊技機を示す正面図である。
【図２】前記パチンコ遊技機の使用位置の灰皿を有するサイドパネルを示す斜視図である。
【図３】前記灰皿を支持する左右の支持部材の一方を灰皿を取り外す着脱位置にした状態のサイドパネルを示す斜視図である。
【図４】前記灰皿を不使用位置で取り付ける状態のサイドパネルを示す斜視図である。
【図５】不使用位置の前記灰皿を有するサイドパネルを示す斜視図である。
【図６】使用位置の前記灰皿を有するサイドパネルを示す要部平面図である。
【図７】前記灰皿を不使用位置で取り付ける状態のサイドパネルを示す要部平面図である。
【図８】前記灰皿を示す正面図、背面図、平面図、底面図、左右側面図である。
【図９】前記パチンコ遊技機の灰皿を支持する支持部材を示す正面図および断面図である。
【図１０】不使用位置の前記灰皿の固定方法を説明するためのパチンコ遊技機の灰皿の取付部分の正面図および断面図である。
【図１１】前記パチンコ遊技機への支持部材の取付方法を説明するための取付部および支持部材の展開斜視図である。
【図１２】前記パチンコ遊技機への支持部材の取付方法を説明するための取付部および支持部材本体と、ベース部材との展開斜視図である。
【図１３】前記パチンコ遊技機への支持部材の取付方法を説明するための取付部およびベース部材の斜視図である。
【符号の説明】
【００７３】
１        パチンコ遊技機（遊技機）
７        灰皿
２１      内部空間
２２      開口部
２５      軸受部
２７      鍔部（回転阻止手段）
２８      仮係合部
３２      マーク
５１      取付部
５２      支持部材
５３      支持部材
５４      軸部
５７      規制部（回転阻止手段）
６５      被係止部（保持手段）
６６      操作片
７４      系止部材（保持手段）
７５      解除操作部（操作部材）
【図１】
2008131999.tif 000003
【図２】
2008131999.tif 000004
【図３】
2008131999.tif 000005
【図４】
2008131999.tif 000006
【図５】
2008131999.tif 000007
【図６】
2008131999.tif 000008
【図７】
2008131999.tif 000009
【図８】
2008131999.tif 000010
【図９】
2008131999.tif 000011
【図１０】
2008131999.tif 000012
【図１１】
2008131999.tif 000013
【図１２】
2008131999.tif 000014
【図１３】
2008131999.tif 000015